(57)【要約】【課題】リモートコントローラを必要とする場合でも、必要としない場合であっても、外観意匠の品位を損なうことがない、空気調和装置の室内機を提供する。【解決手段】前面パネル１３にリモートコントローラ６１を配置した空気調和装置の室内機１であって、前面パネル１３は、リモートコントローラ６１を配置可能な開口部６２を備え、リモートコントローラ６１を支持する支持体７０を前面パネル１３の裏面に配置し、支持体７０は、リモートコントローラ６１を取り付けない場合に、開口部６２を塞ぐことが可能な化粧部７１を備えた。【選択図】図７
2020134030.tif 000002
【特許請求の範囲】
【請求項１】
前面パネルにリモートコントローラを配置した空気調和装置の室内機であって、
前記前面パネルは、前記リモートコントローラを配置可能な開口部を備え、
前記リモートコントローラを支持する支持体を前記前面パネルの裏面に配置し、
前記支持体は、前記リモートコントローラを取り付けない場合に、前記開口部を塞ぐことが可能な化粧部を備えたことを特徴とする空気調和装置の室内機。
【請求項２】
前記前面パネルは、裏面であり、かつ、前記開口部の周囲に複数の耳片を備え、
前記耳片の内側に前記リモートコントローラが保持可能であり、
前記支持体は、前記リモートコントローラを保持した状態で、前記前面パネルに結合されていることを特徴とする請求項１に記載の空気調和装置の室内機。
【請求項３】
前記リモートコントローラを取り付けない場合、前記支持体を反転させて、前記化粧部を前面パネルの裏面の前記開口部に対向させることを特徴とする請求項１又は請求項２に記載の空気調和装置の室内機。
【請求項４】
前記前面パネルの前記開口部の周縁にテーパー部を備え、
前記支持体を前記前面パネルに取り付けたとき、前記前面パネルの表面から前記リモートコントローラの表示面まで、あるいは、前記前面パネルの表面から前記化粧部の面までを、なだらかに連続する面としたことを特徴とする請求項１から請求項３の何れか一項に記載の空気調和装置の室内機。
【請求項５】
前記開口部の周縁の内側に、前記周縁の高さより高い高さを有する緩衝部材を備えることを特徴とする請求項１から請求項４の何れか一項に記載の空気調和装置の室内機。
【発明の詳細な説明】
【技術分野】
【０００１】
本発明は、空気調和装置の室内機に関する。
【背景技術】
【０００２】
従来、筐体の内部の上方に熱交換器を、下方に送風機をそれぞれ配置すると共に、筐体の前面を覆う前面パネルを備えた空気調和装置が知られている（特許文献１）。
この種の空気調和装置には、前面パネルには、矩形状の窪み部が設けられ、窪み部には、前面側から両面テープなどを用いてリモートコントローラが配置されているものがある。
【先行技術文献】
【特許文献】
【０００３】
【特許文献１】特開２０００―９７４５０号公報
【発明の概要】
【発明が解決しようとする課題】
【０００４】
例えば室外機１台に対して複数台の室内機を用いる場合など、この種の空気調和装置では、室内機の全てに必ずしもリモートコントローラを必要としない場合がある。この場合に、従来の構成では、リモートコントローラを窪み部から取り外すと、窪み部が露出し、外観意匠の品位を損なうため、窪み部には、リモートコントローラの代わりに、同一形状の別部品を前面側から取り付けていた。
そこで、本発明の目的は、上述した従来の課題を解消し、リモートコントローラを必要とする場合でも、必要としない場合であっても、外観意匠の品位を損なうことがない、空気調和装置の室内機を提供することにある。
【課題を解決するための手段】
【０００５】
本発明は、前面パネルにリモートコントローラを配置した空気調和装置の室内機であって、前記前面パネルは、前記リモートコントローラを配置可能な開口部を備え、前記リモートコントローラを支持する支持体を前記前面パネルの裏面に配置し、前記支持体は、前記リモートコントローラを取り付けない場合に、前記開口部を塞ぐことが可能な化粧部を備えたことを特徴とする。
【発明の効果】
【０００６】
本発明では、支持体は、リモートコントローラを取り付けない場合に、開口を塞ぐことが可能な化粧部を備えたため、リモートコントローラが不要な場合に、別部品を取り付けることなく、開口を塞ぐことができるため、リモートコントローラが必要な場合も、必要でない場合も、外観意匠の品位を損なわない空気調和装置の室内機を提供できる。
【図面の簡単な説明】
【０００７】
【図１】本発明の一実施形態を示す床置き式の室内機の正面図
【図２】図１から前面パネルを取り外した状態の正面図
【図３】図２の縦断面図
【図４】前面パネルの裏面を見た分解斜視図
【図５】前面パネルの裏面の開口部を拡大した図
【図６】図５のＶＩ−ＶＩ断面図
【図７】前面パネルの裏面を見た分解斜視図
【図８】支持体の裏面を見た図
【図９】図８のＩＸ−ＩＸ断面図
【図１０】同断面図
【発明を実施するための形態】
【０００８】
第１の発明の空気調和装置の室内機は、前面パネルにリモートコントローラを配置した空気調和装置の室内機であって、前記前面パネルは、前記リモートコントローラを配置可能な開口部を備え、前記リモートコントローラを支持する支持体を前記前面パネルの裏面に配置し、前記支持体は、前記リモートコントローラを取り付けない場合に、前記開口部を塞ぐことが可能な化粧部を備えたことを特徴とする。
この発明では、支持体は、リモートコントローラを取り付けない場合に、開口部を塞ぐことが可能な化粧部を備えたため、リモートコントローラが不要な場合に、別部品を取り付けることなく、開口部を塞ぐことができるため、リモートコントローラが必要な場合も、必要でない場合も、外観意匠の品位を損なわない空気調和装置の室内機を提供できる。
【０００９】
第２の発明の空気調和装置の室内機は、第１の発明において、前記前面パネルは、裏面であり、かつ、前記開口部の周囲に複数の耳片を備え、前記耳片の内側に前記リモートコントローラが保持可能であり、前記支持体は、前記リモートコントローラを保持した状態で、前記前面パネルに結合されていることを特徴とする。
この発明によれば、支持体と、リモートコントローラとを、前面パネルに対して簡易に結合することができる。
【００１０】
第３の発明の空気調和装置の室内機は、第１の発明又は第２の発明において、前記リモートコントローラを取り付けない場合、前記支持体を反転させて、前記化粧部を前面パネルの裏面の前記開口部に対向させることを特徴とする。
この発明によれば、リモートコントローラを取り付けない場合、支持体を反転させて、化粧部を前面パネルの裏面の開口部に対向させるだけであるため、別部品を取り付けることなく、開口部を塞ぐことができるため、リモートコントローラが必要な場合も、必要でない場合も、外観意匠の品位は損なわない空気調和装置の室内機を提供できる。。
【００１１】
第４の発明の空気調和装置の室内機は、第１の発明から第３発明の何れかの発明において、前記前面パネルの前記開口部の周縁にテーパー部を備え、前記支持体を前記前面パネルに取り付けたとき、前記前面パネルの表面から前記リモートコントローラの表示面まで、あるいは、前記前面パネルの表面から前記化粧部の面までを、なだらかに連続する面としたことを特徴とする。
この発明によれば、テーパー部を備えるため、前面パネルの表面からリモートコントローラの表示面まで、あるいは、前面パネルの表面から化粧部の面までが、なだらかに連続する面となり、前面パネルの内側に埃等が侵入することを抑制できる。また、外観意匠が向上する。
【００１２】
第５の発明の空気調和装置の室内機は、第１の発明から第４発明の何れかの発明において、前記開口部の周縁の内側に、前記周縁の高さより高い高さを有する緩衝部材を備えることを特徴とする。
この発明によれば、化粧部又はリモートコントローラの表示面が樹脂材に当接し、テーパー部と当接しないため、化粧部又はリモートコントローラの表示面が傷つくことを抑制できる。
【００１３】
以下に、添付図面を参照して本発明の一実施形態を詳細に説明する。
図１における空気調和装置の室内機１の正面図を基準として、左側を左、右側を右、手前側を前、奥側を後ろ、上側を上、下側を下と定義する。
図１から図３に示すように、本実施の形態に係る室内機１は、筐体３と、筐体３の内部上方に設けられ上方に傾斜して配置された熱交換器５と、筐体３の内部下方に設けられ熱交換器５に向けて送風する送風機７と、この送風機７等の運転を制御する電装品（図示せず）が収納された電装箱９と、を備える。
この室内機１は、床置き式である。
【００１４】
筐体３は、一枚の薄肉板金を横断面が略コ字状となるように折り曲げて形成した枠板１１を備える。尚、筐体３は、左側面を形成する板金と、背面を形成する板金と、右側面を形成する板金と、から構成されていてもよい。この枠板１１の解放された一側面（前面側）には、吸い込みパネル５１と、前面パネル１３と、吹き出しパネル５２とが取り付けられている。この枠板１１は、上部に天板１５を備える。枠板１１は、下部に底板１７を備える。吸い込みパネル５１と、前面パネル１３と、吹き出しパネル５２は1体となっていてもよい。
【００１５】
図１に示すように、前面パネル１３は、筐体３の前面中央に配置されている。前面パネル１３には、リモートコントローラ６１が取り付けられている。
前面パネル１３は、取り外しが可能である。前面パネル１３を取り外すと、図２に示すように、断熱パネル５３が露出する。断熱パネル５３は、前面パネル１３の裏面側であって、熱交換器５と対向する位置に配置されている。
【００１６】
図３に示すように、熱交換器５は、筐体３と断熱パネル５３との間の空間である空気通路２７内に上方に向けて斜め後ろ側（奥側）に傾斜して配置されており、送風されてくる空気との風切り音の静音化が図られている。
したがって、筐体３の奥行きＷによって傾斜角度が決定されるが、一般に、熱交換器５の傾斜角度は小さい方が、風切り音が小さくなるので、奥行きＷが長い程、風切り音が小さくなる。本構成では、電装箱９が、熱交換器５の下方に配置され、前面側に配置されていないため、筐体の奥行きＷを広くとれ、熱交換器５の傾斜が大きくなるので，熱交換器５を通過する風の風切り音が小さくなる。
【００１７】
送風機７は、いわゆる遠心送風器である。送風機７は、前面側に吸込口３７が形成されるとともに上方に送風口３５が形成されるケース２９と、ケース２９内に配置された羽車３１と、羽車３１を駆動する電動機３３と、から構成されている。
【００１８】
吸込口３７から吸引した空気は、送風口３５を介して熱交換器５へ向けて送風される。
【００１９】
図３に示すように、熱交換器５の下端には、熱交換器５の結露水を受けるドレンパン２１が配置される。ドレンパン２１の下方には、電装箱９が配置される。
電装箱９は、箱体４１と、箱体４１に収納された基板４３及びカバー４５と、から構成されている。基板４３上には、詳図していないが、電装部品や制御回路が配置されている。そして、メンテナス等の時には、カバー４５を開けて電装部品や制御回路を露出させるようになっている。
【００２０】
電装箱９は、送風機７の吸込口３７の上方に配置される。具体的には、電装箱９は、送風機７の送風口３５における吸い込みパネル５１側に固定され、送風機７のケース２９と吸い込みパネル５１との間に配置されている。
【００２１】
この室内機１は、送風機７の電動機３３が駆動されると、吸込みパネル５１を介して送風機の吸込口３７から空気が吸引され、送風口３５から上方に向けて送風される。ここで、吸込口３７の上部付近（図３参照）から、この吸込口３７に吸込まれる空気量は、その下部付近（図３参照）から吸込口３７に吸込まれる空気量よりも少ないのが一般的であり、このように吸込空気量の少ない部分に電装箱９を配置したことによって、吸込空気量の低下を極めて少なく抑えている。
そして、送風口３５から送風された空気は、熱交換器５を通過し、吹出しパネル５２の吹き出し口から，熱交換された空気が送風される。
【００２２】
本実施形態では、図１及び図４に示すように、前面パネル１３の上部には多機能のリモートコントローラ６１が取り付けられている。リモートコントローラ６１には、配線６０が接続されている。
前面パネル１３には、矩形状の開口部６２が形成されている。開口部６２の周囲には複数の耳片６３が、前面パネル１３に一体に設けられる。耳片６３は、前面パネル１３の裏面からリモートコントローラ６１の側壁６１Ａに沿うように立ち上がって形成される。
開口部６２の各辺には、耳片６３と耳片６３との間に、空間Ｓ１が設けられている。この空間Ｓ１は、後述する支持体７０を開口部６２に固定したとき、この支持体７０の各辺に設けられるボス７３が位置する空間である。
【００２３】
複数の耳片６３は、所定の高さを有しており、図５に示すように、開口部６２の周囲の４隅部に一対ずつ設けられている。開口部６２の周縁６２ａと、複数の耳片６３との間には、樹脂材６５が配置されている。樹脂材６５は、前面パネル１３の裏面に貼り付けられる。
複数の耳片６３の外側の４隅には、それぞれ突部６６が設けられる。突部６６には、雌ねじ孔６６ａが形成されている。開口部６２の周縁６２ａは、図６に示すように、開口部６２の内側に傾斜するテーパー部６７となっている。
【００２４】
複数の耳片６３の内側には、図４及び図７に示すように、矩形状のリモートコントローラ６１が嵌合される。リモートコントローラ６１の外形は、耳片６３の内側に嵌り合う形状である。リモートコントローラ６１の裏面には、図７に示すように、支持体７０が宛がわれる。
支持体７０は、図８に示すように、ほぼ矩形状であり、裏面に平坦な化粧部７１を備える。支持体７０の４隅には突片７２が設けられ、各突片７２にはビス孔７２ａが形成されている。ビス孔７２ａ間のピッチは、突部６６の、雌ねじ孔６６ａ間のピッチと同じである。
【００２５】
支持体７０は、図９に示すように、皿形を構成している。
支持体７０には、各辺の中央部にボス７３が突設される。このボス７３は、支持体７０の両面に設けられる。ボス７３は、支持体７０を開口部６２に固定するとき、耳片６３と耳片６３との間の空間Ｓ１に収まる。
【００２６】
リモートコントローラ―６１を介して支持体７０を前面パネル１３の裏面に固定するとき、支持体７０をリモートコントローラ６１の裏面に宛がった後、図７に示すように、ビス７７を用いて、前面パネル１３の裏面に固定する。ビス７７は、突片７２のビス孔７２ａを通して、突部６６の、雌ねじ孔６６ａにねじ込まれる。
この際、リモートコントローラ６１を介して樹脂材６５を圧縮して、支持体７０が前面パネル１３に取り付けられる。
【００２７】
図５及び図６に示すように、本実施の形態では、開口部６２の周縁６２ａは、開口部６２の内側方向に向けて斜めに立ち上がるテーパー部６７とされている。開口部６２の周縁６２ａであるテーパー部６７の内側には、テーパー部６７の高さより高い高さを有する樹脂材６５（緩衝部材）が備えられている。
【００２８】
図５及び図６に示すように、リモートコントローラ６１の表示面６１ａは、樹脂材６５を圧縮して取り付けられる。樹脂材６５は、テーパー部６７の高さより高い高さを有するため、リモートコントローラ６１を前面パネル１３の裏面に固定するとき、リモートコントローラ６１の表示面６１ａは、樹脂材６５に当接する。リモートコントローラ６１の表示面６１ａと開口部６２の周縁６２ａのテーパー部６７とは、密着しない。リモートコントローラ６１の表示面６１ａと開口部６２の周縁６２ａのテーパー部６７とは、所定の隙間を有する。
リモートコントローラ６１の表示面６１ａとテーパー部６７との間には、少ない段差が形成されるが、樹脂材６５により連続するため、外観意匠の品位を損ないにくく、また、前面パネル１３の内側に埃等が侵入することを抑制できる。また、リモートコントローラ６１の表示面６１ａが傷つきにくい。
【００２９】
本実施の形態では、不図示の室外機１台に対して、複数台の床置き式の室内機１が接続される。この場合、室内機１の全てに必ずしもリモートコントローラ６１を必要としない場合がある。室内機１にリモートコントローラ６１を必要としない場合、前面パネル１３にリモートコントローラ６１を取り付けない。
リモートコントローラ６１を取り付けしないときには、リモートコントローラ６１を取り外した状態で、図７の支持体７０を反転させて、化粧部７１を前面パネル１３の裏面に宛がい、ビス７７を用いて、支持体７０を前面パネル１３に取り付ける。この際には、図１０に示すように、支持体７０の側壁６８ａが、複数の耳片６３の内側に嵌る。ビス７７は、突片７２のビス孔７２ａを貫通して、突部６６の雌ねじ孔６６ａにねじ込まれる。
また、支持体７０の化粧部７１が、樹脂材６５を圧縮するようにして取り付けられる。支持体７０の化粧部７１が、樹脂材６５を圧縮するようにして取り付けられたとき、化粧部７１は、図５に示す開口部６２の周縁６２ａのテーパー部６７と所定の隙間を有する。支持体７０の化粧部７１とテーパー部６７とは、密着しない。
化粧部７１とテーパー部６７との間には、少ない段差が形成されるが、樹脂材６５により連続するため、外観意匠の品位を損ないにくく、また、前面パネル１３の内側に埃等が侵入することを抑制できる。また、化粧部７１が傷つきにくい。
【００３０】
本実施形態では、リモートコントローラ６１を取り付けた場合には、前面パネル１３の開口部６２にリモートコントローラ６１の表示面６１ａが臨み、リモートコントローラ６１を取り外した場合には、同じ開口部６２に支持体７０の化粧部７１が臨むだけの違いであり、リモートコントローラ６１と開口部６２の周縁６２ａとの間、あるいは、化粧部７１と開口部６２の周縁６２ａとの間には、何れも少ない段差が形成されるが、いずれの場合も、その段差は樹脂材６５により連続するようになるため、同じ外観意匠を確保できる。
【００３１】
以上説明したように、本実施の形態によれば、前面パネル１３にリモートコントローラ６１を配置した空気調和装置の室内機１であって、前面パネル１３は、リモートコントローラ６１を配置可能な開口部６２を備え、リモートコントローラ６１を支持する支持体７０を前面パネル１３の裏面に配置し、支持体７０は、リモートコントローラ６１を取り付けない場合に、開口部６２を塞ぐことが可能な化粧部７１を備えた。
これによれば、支持体７０は、リモートコントローラ６１を取り付けない場合に、開口部６２を塞ぐことが可能な化粧部７１を備えたため、リモートコントローラ６１が不要な場合に、別部品を取り付けることなく、開口部６２を塞ぐことができるため、リモートコントローラ６１が必要な場合も、必要でない場合も、外観意匠の品位を損なわない空気調和装置の室内機１を提供できる。
【００３２】
また、本実施の形態によれば、前面パネル１３は、裏面であり、かつ、開口部６２の周囲に複数の耳片６３を備え、耳片６３の内側にリモートコントローラ６１が保持可能であり、支持体７０は、リモートコントローラ６１を保持した状態で、前面パネル１３に結合した。
これによれば、支持体７０と、リモートコントローラ６１とを、前面パネル１３に対して簡易に結合することができる。
【００３３】
また、本実施の形態によれば、リモートコントローラ６１を取り付けない場合、支持体７０を反転させて、化粧部７１を前面パネル１３の裏面の開口部６２に対向させた。
これによれば、リモートコントローラ６１を取り付けない場合、支持体７０を反転させて、化粧部７１を前面パネル１３の裏面の開口部６２に対向させるだけであるため、別部品を取り付けることなく、開口部６２を塞ぐことができるため、リモートコントローラ６１が必要な場合も、必要でない場合も、外観意匠の品位を損なわない空気調和装置の室内機１を提供できる。
【００３４】
また、本実施の形態によれば、前面パネル１３の開口部６２の周縁６２ａにテーパー部６７を備え、支持体７０を前面パネル１３に取り付けたとき、前面パネル１３の表面からリモートコントローラ６１の表示面まで、あるいは、前面パネル１３の表面から化粧部７１の面までを、なだらかに連続する面とした。
これによれば、テーパー部６７を備えるため、前面パネル１３の表面からリモートコントローラ６１の表示面６１ａまで、あるいは、前面パネル１３の表面から化粧部７１の面までが、なだらかに連続する面となり、前面パネル１３の内側に埃等が侵入することを抑制できる。また、外観意匠が向上する。
【００３５】
また、本実施の形態によれば、開口部６２の周縁６２ａであるテーパー部６７の内側に、テーパー部６７の高さより高い高さを有する樹脂材６５（緩衝部材）を備えた。
これにより、化粧部７１又はリモートコントローラ６１の表示面６１ａが樹脂材６５に当接し、テーパー部６７と当接しないため、化粧部７１又はリモートコントローラ６１の表示面６１ａが傷つくことを抑制できる。
【００３６】
以上本実施の形態に基づいて本発明を説明したが、本発明は上述した実施形態に限定されず、本発明の要旨を逸脱しない範囲で種々変形可能なことは言うまでもない。
【符号の説明】
【００３７】
１  床置き式の室内機
５  熱交換器
７  送風機
１３  前面パネル
５１  吸い込みパネル
５２  吹き出しパネル
６１  リモートコントローラ
６１Ａ  リモートコントローラの側壁
６２  開口部
６２ａ  周縁
６２ａ  開口部の周縁
６３  耳片
６５  樹脂材（緩衝部材）
６７  テーパー部（周縁）
６８ａ  支持体の側壁
７０  支持体
７１  化粧部
７３  ボス
７７  ビス
Ｓ１  空間
【図１】
2020134030.tif 000003
【図２】
2020134030.tif 000004
【図３】
2020134030.tif 000005
【図４】
2020134030.tif 000006
【図５】
2020134030.tif 000007
【図６】
2020134030.tif 000008
【図７】
2020134030.tif 000009
【図８】
2020134030.tif 000010
【図９】
2020134030.tif 000011
【図１０】
2020134030.tif 000012